(57)【要約】      （修正有）【課題】外壁板の下端縁の実部と該留め付け金具とがより確実に当接するとともに、施工後も該実部と該留め付け金具との当接状態が維持され、腐食、劣化しにくい留め付け金具及び外壁施工構造を提供する。【解決手段】１枚の鋼板から成型されており、躯体側への固定部となる基板部３と、留め付け時に外壁板裏面に当接し、該外壁板の固定を安定させる右支持部９、左支持部８、中央支持部１０、下支持部１１と、下位に配された外壁板の上端縁の実部を係止する中央水平立設部１２ｃ、下方屈曲部１３ｃと、上位に配された外壁板の下端縁の実部を係止する支承部１６、上板係止部１７と、上方屈曲部１４と、前板部１５とを有し、中央水平立設部１２ｃの左右端部と上方屈曲部１４の上面、及び前板部１５の前面にはベントナイトからなる止水材Ｄ２が配設されている留め付け金具Ｂ５、及びそれを用いた施工構造。【選択図】図１３
0003148121.tif 000002
【実用新案登録請求の範囲】
【請求項１】
外壁板用の留め付け金具であって、
その左右の側部には、留め付け時に外壁板裏面に当接される左支持部および右支持部が設けられており、
上記左支持部および上記右支持部に挟まれた領域には、躯体側への固定部となる基板部と、留め付け時に外壁板裏面に当接される中央支持部と、該中央支持部の下端から前方へ水平方向に立設された中央水平立設部と、該中央水平立設部の前端から下方へ屈曲した下方屈曲部と、該下方屈曲部の左右において該中央水平立設部の前端から斜め上方へ屈曲した上方屈曲部と、該上方屈曲部の上端から下方へ屈曲した前板部と、該中央水平立設部の左右において該中央支持部から前方へ水平方向に立設された支承部と、該支承部の前端から上方へ屈曲した上板係止部と、留め付け時に外壁板裏面に当接される下支持部とが設けられており、
更に、上記留め付け金具は１枚の鋼板を絞り加工することにより、上記左支持部、上記右支持部、上記下支持部および上記中央支持部が連続状態で形成されており、鋼板の上方領域の一部を裏面側に陥没した状態とすることにより、上記基板部が形成されており、鋼板の下方領域の一部を表面側に切り起こされた状態とすることにより、上記中央水平立設部と、上記下方屈曲部と、上記上方屈曲部と、上記前板部と、上記支承部と、上記上板係止部とが形成されており、
上記中央水平立設部の左右端部と上記上方屈曲部の上面、及び上記前板部の前面には止水材が配設されており、
上記止水材はベントナイトからなる
ことを特徴とする留め付け金具。
【請求項２】
前記止水材がベントナイトと弾性材からなることを特徴とする請求項１に記載の留め付け金具。
【請求項３】
前記下方屈曲部が黒色系で塗装されている、又は黒色系のテープが貼られていることを特徴とする請求項１又は請求項２に記載の留め付け金具。
【請求項４】
前記中央水平立設部が黒色系で塗装されている、又は黒色系のテープが貼られていることを特徴とする請求項１から請求項３のいずれかに記載の留め付け金具。
【請求項５】
請求項１から４のいずれかに記載の留め付け金具が前記基板部を躯体側の固定面に当接して多段に取り付けてあり、
少なくとも上端縁と下端縁に実部を有する外壁板が、その裏面を留め付け金具の前記左支持部、右支持部、中央支持部、下支持部に当接されており、
外壁板の上端縁の実部が、上位に位置する留め付け金具の前記中央水平立設部と前記下方屈曲部とで係止されており、
外壁板の下端縁の実部が、下位に位置する留め付け金具の前記支承部と前記上板係止部とで係止されており、
更に外壁板の下端縁の実部が、前記止水材に当接した状態で留め付けられている
ことを特徴とする外壁施工構造。
【考案の詳細な説明】
【技術分野】
【０００１】
本考案は、窯業系外壁板を構造躯体に留め付けるときに用いる留め付け金具、及び該留め付け金具を用いた外壁施工構造に関するものである。
【背景技術】
【０００２】
窯業系外壁板には、図１６に示すような、少なくとも上端縁と下端縁に実部を有する外壁板Ａがあり、外壁板Ａで建物の外壁を構成するために、留め付け金具を用いて、建物の躯体側に複数の該外壁板を馬乗り目地状に留め付け施工することが行われている（例えば、特許文献１：特開２００２−３７１６８９号公報参照）。図１７は特許文献１に記載される留め付け金具を示している。該留め付け金具は、一枚の鋼板を折り曲げ加工して成型されており、留め付け時に上記外壁板の裏側面に当接する基板部と、該基板部から前方へ水平方向に立設された中央水平立設部と、該中央水平立設部の前端から下方へ屈曲した下方屈曲部と、該下方屈曲部の左右において該中央水平立設部の前端から斜め上方へ屈曲した上方屈曲部と、該上方屈曲部の上端から下方へ屈曲した前板部と、該中央水平立設部の左右において該基板部から前方へ水平方向に立設された支承部と、該支承部の前端から上方へ屈曲した上板係止部と、該支承部の前端から下方へ屈曲した下板係止部と、該上板係止部の先端から該下板係止部の先端にかけて垂直方向に連設された連設部とからなり、該中央水平立設部の左右端部と該上方屈曲部の上面、及び該前板部の前面には、弾性材が配設されている。
【０００３】
躯体側へ上記留め付け金具を固定するときには、上記基板部から屈曲形成された上方脚部と下方脚部の先端が躯体側への固定部となる。また、外壁板施工時には、上記留め付け金具より上位にある外壁板が、その下端縁の実部を、該留め付け金具の上記支承部と上記上板係止部に係止し、かつ該外壁板の裏面が、該留め付け金具の基板部に当接した状態で留め付けられる。一方、上記留め付け金具より下位にある外壁板が、その上端縁の実部を、上記中央水平立設部と、上記下方屈曲部と、上記前記支承部と、上記下板係止部とに係止し、かつ該外壁板の裏面を基板部に当接した状態で留め付けられる。
更に、上記留め付け金具では、上記中央水平立設部の左右端部と上記上方屈曲部の上面、及び上記前板部の前面には弾性材が配設されている。そのため、上記留め付け金具を縦目地の下端部に配設したとき、該縦目地を伝って落下してくる雨水等を上記左右の弾性材の間における上記中央水平立設部によって受け、弾性材によって堰き止め、上記下方屈曲部から外壁の前方へ排出することができる。
【０００４】
また、特許文献１には、上記外壁板の裏側面に当接する基板部と、該基板部の前方に水平方向に立設された支承部と、該支承部の前端部から斜め上方へ屈曲した上板係止部と、該支承部の前端部から斜め下方へ屈曲した下板係止部と、該支承部よりも下方の該基板部から前方に垂直方向に立設された垂直立設部とを有する留め付けストッパー金具が示されている。図１８に該留め付けストッパー金具を示す。該留め付けストッパー金具は、外壁施工時には、該留め付けストッパー金具の該基板部を外壁板の裏側面に当接させて下地材に固定し、該留め付けストッパー金具の下位に配置した外壁板は、上辺部を該留め付けストッパー金具の下板係止部に係止させ、上位に配置した外壁板は、下辺部を該留め付けストッパー金具の該支承部に載置すると共に該上板係止部に係止させ、かつ、該垂直立設部に下側の外壁板の側端面が当接した状態で留め付けられる。
そのため、該留め付けストッパー金具の垂直立設部により、該留め付けストッパー金具の下位に配置した外壁板が左右にずれることを防ぐことができる。
【特許文献１】特開２００２−３７１６８９号公報
【考案の開示】
【考案が解決しようとする課題】
【０００５】
しかし、外壁内部への雨水等の侵入を確実に防ぐには、特許文献１の外壁施工構造において、上位に配置する外壁板の下端縁の実部と上記留め付け金具の弾性材とが確実に当接しており、その間に隙間が設けられていないことが必要である。しかし、外壁板の施工精度には限界があるため、外壁施工構造において、該外壁板と該弾性材の隙間を完全に無くすことは困難であり、更に、該弾性材はエチレンゴムやＥＰＤＭ（エチレン・プロピレンゴム）等からなるゴム発泡体、或いはポリエチレン等の合成樹脂発泡体等であるので、時間の経過と共に弾性が劣化し、該隙間が大きくなる恐れがある。
【０００６】
また、特許文献１の留め付けストッパー金具は、下位に配置した外壁板が左右にずれることを防ぐことができるが、外壁板自体の収縮や外壁板を取り付ける構造体全体の歪みに対しては有効でなく、外壁板同士の繋ぎ目に隙間ができる恐れがある。外壁板同士の繋ぎ目に隙間ができると、３枚の外壁板の実部が重なり逆Ｔ字状態の目地を形成する箇所では、留め付け金具の中央水平立設部と下方屈曲部が露出する。外壁板同士の繋ぎ目の隙間は影になっているが、該中央水平立設部と該下方屈曲部は通常金属色であるので目立ちやすい。
また、露出した中央水平立設部と下方屈曲部は常に雨水や日光等に曝されることとなり、金属板が腐食、劣化する恐れがある。
【０００７】
本考案は、従来の外壁施工構造の問題点を解決するためになされたものであり、留め付け金具より上位に施工される外壁板の下端縁の実部と該留め付け金具とがより確実に当接するとともに、施工後も該外壁板の下端縁の実部と該留め付け金具との当接状態が維持され、更に、外壁板同士の隙間から該留め付け金具の一部が露出したとしても目立たず、かつ、腐食、劣化しにくい留め付け金具及び外壁施工構造を提供することを目的とするものである。
【課題を解決するための手段】
【０００８】
本請求項１に記載の考案は、外壁板用の留め付け金具であって、その左右の側部には、留め付け時に外壁板裏面に当接される左支持部および右支持部が設けられており、該左支持部および該右支持部に挟まれた領域には、躯体側への固定部となる基板部と、留め付け時に外壁板裏面に当接される中央支持部と、該中央支持部の下端から前方へ水平方向に立設された中央水平立設部と、該中央水平立設部の前端から下方へ屈曲した下方屈曲部と、該下方屈曲部の左右において該中央水平立設部の前端から斜め上方へ屈曲した上方屈曲部と、該上方屈曲部の上端から下方へ屈曲した前板部と、該中央水平立設部の左右において該中央支持部から前方へ水平方向に立設された支承部と、該支承部の前端から上方へ屈曲した上板係止部と、留め付け時に外壁板裏面に当接される下支持部とが設けられており、更に、該留め付け金具は１枚の鋼板を絞り加工することにより、該左支持部、該右支持部、該下支持部および該中央支持部が連続状態で形成されており、鋼板の上方領域の一部を裏面側に陥没した状態とすることにより、該基板部が形成されており、鋼板の下方領域の一部を表面側に切り起こされた状態とすることにより、該中央水平立設部と、該下方屈曲部と、該上方屈曲部と、該前板部と、該支承部と、該上板係止部とが形成されており、該中央水平立設部の左右端部と該上方屈曲部の上面、及び該前板部の前面には止水材が配設されており、該止水材はベントナイトからなることを特徴とする留め付け金具である。
本考案の留め付け金具において、中央水平立設部の左右端部と上方屈曲部の上面、及び前板部の前面に配する止水材としては、ベントナイトだけからなるものでも良いし、ベントナイトと、エチレンゴムやＥＰＤＭ（エチレン・プロピレンゴム）等のゴム発泡体、或いはポリエチレン等の合成樹脂発泡体等からなるものでも良い。なお、ベントナイトとＥＰＤＭ等を併用する場合、ベントナイトとＥＰＤＭ等を積層した形成物を止水材として用いても良いし、ベントナイトとＥＰＤＭ等を混合した形成物を止水材として用いても良い。
また、鋼板としては、ガルバリウム鋼板、ガルタイト鋼板、アルミ鋼板、ステンレス鋼板、合金めっき鋼板、トタン、銅板などを使用することができる。
本考案の留め付け金具は、躯体側への固定部となる基板部を有するので、該留め付け金具を躯体側へ確実に固定できる。また、左支持部、右支持部、中央支持部、下支持部を有するので、留め付け時に外壁板裏面に当接し、外壁板の固定を安定させることができる。更に、中央水平立設部と下方屈曲部を有するので、留め付け金具の下位に配された外壁板の上端縁の実部を係止することができ、支承部と上板係止部を有するので、該留め付け金具の上位に配された外壁板の下端縁の実部を係止することができる。
また、施工した際に、該留め付け金具より上位に施工される外壁板の下端縁の実部と該留め付け金具との間に若干の隙間が存在したとしても、最初に侵入した雨水により、該留め付け金具の中央水平立設部の左右端部と上方屈曲部の上面、及び前板部の前面に配設されたベントナイトが膨張し、該外壁板の下端縁の実部と該留め付け金具との隙間を塞ぐので、該外壁板の下端縁の実部と該留め付け金具とは確実に当接することとなり、縦目地を伝って落下してくる雨水等を該中央水平立設部によって受けるとともに確実に堰き止め、そして下方屈曲部から外壁の前方へ排出することができる。また、止水材がＥＰＤＭなどの弾性材を含有している場合、該弾性材が時間の経過により劣化して、該外壁板の下端縁の実部と該留め付け金具との間に若干の隙間が形成されるが、該止水材はベントナイトも含有するので、侵入した雨水によりベントナイトが膨張し、形成された該隙間を塞ぐので、縦目地を伝って落下してくる雨水等の堰き止め、及び排出を長期にわたり行うことができる。
更に、該留め付け金具は１枚の鋼板から成型されており、簡単な形状なので、外部から力を受けても変形しにくく、外壁板を長期にわたり確実に固定することができるとともに、製造が容易であり、生産効率が良く、製造コストを抑えることができる。
【０００９】
本請求項２に記載の考案は、前記止水材がベントナイトと弾性材からなることを特徴とする請求項１に記載の留め付け金具である。なお、弾性材とは、エチレンゴムやＥＰＤＭ（エチレン・プロピレンゴム）等のゴム発泡体、或いはポリエチレン等の合成樹脂発泡体などの弾性を有する材であり、ベントナイトと弾性材を積層した形成物を止水材としても良いし、ベントナイトと弾性材を混合した形成物を止水材としても良い。
本考案によれば、ベントナイトと弾性材からなる、弾性を有する止水材が中央水平立設部の左右端部と上方屈曲部の上面、及び前板部の前面に配されているので、留め付け金具より上位に施工される外壁板の下端縁の実部と該留め付け金具との間がより塞がれる。また、施工した際に、該外壁板の下端縁の実部と該留め付け金具との間に若干の隙間が存在したとしても、最初に侵入した雨水によりベントナイトが膨張し、該隙間を塞ぐので、該外壁板の下端縁の実部と該留め付け金具とは確実に当接することとなり、縦目地を伝って落下してくる雨水等を該中央水平立設部によって受けるとともに確実に堰き止め、そして下方屈曲部から外壁の前方へ排出することができる。また、該弾性材が時間の経過により劣化して、該外壁板の下端縁の実部と該留め付け金具との間に若干の隙間が形成されたとしても、該止水材はベントナイトも含有するので、最初に侵入した雨水によりベントナイトが膨張し、形成された該隙間を塞ぐので、縦目地を伝って落下してくる雨水等の堰き止め、及び排出を長期にわたり行うことができる。
【００１０】
本請求項３に記載の考案は、前記下方屈曲部が黒色系で塗装されている、又は黒色系のテープが貼られていることを特徴とする請求項１又は請求項２に記載の留め付け金具である。なお、黒色系とは、黒色、濃色の茶色、濃色の灰色などであり、塗料としてはアクリル樹脂塗料、ウレタン樹脂塗料、シリコーン樹脂塗料、エポキシ樹脂塗料などを用いることができる。
本考案によれば、外壁板自体の収縮や外壁板を取り付ける構造体全体の歪みにより、外壁板同士の繋ぎ目に隙間ができたとしても、留め付け金具の下方屈曲部が黒色系なので、目立たない。また、下方屈曲部は塗装されている、又はテープが貼られているので、該下方屈曲部が塗膜又はテープにより保護されることとなり、腐食、劣化しにくくなる。
【００１１】
本請求項４に記載の考案は、前記中央水平立設部が黒色系で塗装されている、又は黒色系のテープが貼られていることを特徴とする請求項１から請求項３のいずれかに記載の留め付け金具である。なお、黒色系とは、黒色、濃色の茶色、濃色の灰色などであり、塗料としてはアクリル樹脂塗料、ウレタン樹脂塗料、シリコーン樹脂塗料、エポキシ樹脂塗料などを用いることができる。
本考案によれば、外壁板自体の収縮や外壁板を取り付ける構造体全体の歪みにより、外壁板同士の繋ぎ目に隙間ができたとしても、留め付け金具の中央水平立設部が黒色系なので、目立たない。また、中央水平立設部は塗装されている、又はテープが貼られているので、該中央水平立設部が塗膜又はテープにより保護されることとなり、腐食、劣化しにくくなる。
【００１２】
本請求項５に記載の考案は、請求項１から４のいずれかに記載の留め付け金具が前記基板部を躯体側の固定面に当接して多段に取り付けてあり、少なくとも上端縁と下端縁に実部を有する外壁板が、その裏面を留め付け金具の前記左支持部、右支持部、中央支持部、下支持部に当接し、外壁板の上端縁の実部が、上位に位置する留め付け金具の前記中央水平立設部と前記下方屈曲部とで係止されており、外壁板の下端縁の実部が、下位に位置する留め付け金具の前記支承部と前記上板係止部とで係止されており、更に外壁板の下端縁の実部が、前記止水材に当接した状態で留め付けられていることを特徴とする外壁施工構造である。
本考案の外壁施工構造では、確実に外壁板を係止し、固定することができる。また、取り付けられる留め付け金具の中央水平立設部の左右端部と上方屈曲部の上面、及び前板部の前面にベントナイトからなる止水材が配設されており、外壁板の下端縁の実部が、該止水材に当接した状態で係止されているので、該外壁板の下端縁の実部と該留め付け金具との間に若干の隙間が存在したとしても、最初に侵入した雨水により、該止水材のベントナイトが膨張し、該隙間を塞ぐので、該外壁板の下端縁の実部と該留め付け金具とは確実に当接することとなり、縦目地を伝って落下してくる雨水等を該中央水平立設部によって受けるとともに確実に堰き止め、そして下方屈曲部から外壁の前方へ排出することができる。また、止水材がＥＰＤＭなどの弾性材を含有しており、該弾性材が時間の経過により劣化して、該外壁板の下端縁の実部と該留め付け金具との間に若干の隙間が形成されたとしても、該止水材はベントナイトも含有するので、最初に侵入した雨水によりベントナイトが膨張し、形成された該隙間を塞ぐので、縦目地を伝って落下してくる雨水等の堰き止め、及び排出を長期にわたり行うことができる。
更に、下方屈曲部、及び／又は中央水平立設部が黒色系で塗装されている、又は黒色系のテープが貼られている留め付け金具を用いた場合には、該下方屈曲部、及び／又は中央水平立設部が腐食、劣化しにくい外壁施工構造となる。
【考案の効果】
【００１３】
本考案によれば、留め付け金具より上位に施工される外壁板の下端縁の実部と該留め付け金具とがより確実に当接するとともに、施工後も該外壁板の下端縁の実部と該留め付け金具との当接状態が維持され、更に、外壁板同士の繋ぎ目の隙間から該留め付け金具の一部が露出したとしても目立たず、かつ、腐食、劣化しにくい留め付け金具及び外壁施工構造を提供することができる。
【考案を実施するための最良の形態】
【００１４】
以下、本考案を実施するための最良の形態について、図１〜図１５に従って具体的に説明する。
【実施例１】
【００１５】
図１は本考案にかかる留め付け金具の一実施例を示した図である。
図１に示す留め付け金具Ｂ１は、厚さ０．８mmのガルバリウム鋼板１枚から製造された金具であり、左右の側部には、留め付け時に外壁板裏面に当接される左支持部８および右支持部９が設けられている。
左支持部８および右支持部９に挟まれた領域には、躯体側への固定部となる基板部３と、留め付け時に外壁板裏面に当接される中央支持部１０と、中央支持部１０の下端から前方へ水平方向に立設された中央水平立設部１２aと、中央水平立設部１２aの前端から下方へ屈曲した下方屈曲部１３aと、下方屈曲部１３aの左右において中央水平立設部１２aの前端から斜め上方へ屈曲した上方屈曲部１４と、上方屈曲部１４の上端から下方へ屈曲した前板部１５と、中央水平立設部１２aの左右において中央支持部１０から前方へ水平方向に立設された支承部１６と、支承部１６の前端から上方へ屈曲した上板係止部１７と、留め付け時に外壁板裏面に当接される下支持部１１とが設けられている。
左支持部８、右支持部９、下支持部１１及び中央支持部１０は、鋼板を絞り加工することにより、連続状態となるよう形成されており、基板部３は、鋼板の上方領域の一部を裏面側に陥没した状態とすることにより形成されており、中央水平立設部１２aと、下方屈曲部１３aと、上方屈曲部１４と、前板部１５と、支承部１６と、上板係止部１７は、鋼板の下方領域の一部を表面側に切り起こされた状態とすることにより形成されている。
また、基板部３には、膨出部４、釘孔５、ビス孔６、リブ７が設けられており、左支持部８および右支持部９の外側付近には、基板部３と同一平面上となるよう鍔部１が設けられており、左支持部８および右支持部９の内側付近には、切り込み２が設けられている。なお、膨出部４、リブ７も絞り加工により形成される。
そして、中央水平立設部１２aの左右端部と上方屈曲部１４の上面、及び前板部１５の前面にはベントナイトからなる止水材Ｄ１が設けられている。
留め付け金具Ｂ１は、基板部３を有するので、釘孔５に釘を打ち込む、及び／又はビス孔６にビスを打ち込むことにより、建物の躯体側へ確実に固定できる。また、基板部３と同一平面上となるよう鍔部１が設けられているので、鍔部１により、固定が更に安定する。
また、左支持部８、右支持部９、中央支持部１０、下支持部１１を有するので、留め付け時に外壁板裏面に当接し、外壁板の固定を安定させることができる。
更に、中央水平立設部１２aと下方屈曲部１３aを有するので、留め付け金具Ｂ１の下位に配された外壁板の上端縁の実部を係止することができ、支承部１６と上板係止部１７を有するので、留め付け金具Ｂ１の上位に配された外壁板の下端縁の実部を係止することができる。
更に、左支持部８および右支持部９の内側付近に切り込み２を有するので、施工した後に、留め付けた外壁板に大きな風圧が作用しても、留め付け金具Ｂ１の切り込み２が一時的に変化して風圧を吸収するので、中央水平立設部１２a、下方屈曲部１３a、支承部１６と上板係止部１７に係止された外壁板の実部に荷重がかかるのを緩和することができる。それにより、安定性の高い留め付け状態を長期にわたり保持することができる。
更に、施工した際に、留め付け金具Ｂ１より上位に施工される外壁板の下端縁の実部と留め付け金具Ｂ１との間に若干の隙間が存在したとしても、最初に侵入した雨水により、留め付け金具Ｂ１の中央水平立設部１２aの左右端部と上方屈曲部１４の上面、及び前板部１５の前面に配設されたベントナイトが膨張し、該外壁板の下端縁の実部と留め付け金具Ｂ１との隙間を塞ぐので、外壁板の下端縁の実部と留め付け金具Ｂ１とは確実に当接することとなり、縦目地を伝って落下してくる雨水等を中央水平立設部１２aによって受けるとともに確実に堰き止め、そして下方屈曲部１３aから外壁の前方へ排出することができる。また、外壁板と留め付け金具Ｂ１が外力を受け、該外壁板の下端縁の実部と留め付け金具Ｂ１との間に若干の隙間が形成されたとしても、侵入した雨水によりベントナイトが膨張し、形成された該隙間を塞ぐので、縦目地を伝って落下してくる雨水等の堰き止め、及び排出を長期にわたり行うことができる。
更に、留め付け金具Ｂ１は１枚のガルバリウム鋼板から成型されており、簡単な形状なので、外部から力を受けても変形しにくく、外壁板を長期にわたり確実に固定することができるとともに、製造が容易であり、生産効率が良く、製造コストを抑えることができる。
【００１６】
図２は、図１に示す留め付け金具を建物の躯体に施工した、本考案にかかる外壁施工構造の一実施例を示した図である。
図２に示す外壁施工構造では、図１６に示す、少なくとも上端縁と下端縁に実部を有する外壁板Ａを、図１に示す留め付け金具Ｂ１とビスＥを用いて、建物の躯体側である下地材Ｆに固定している。
本外壁施工構造では、図１に示す留め付け金具Ｂ１は、基板部３と鍔部１が下地材Ｆに当接した状態で、ビス孔６にビスＥが打ち込まれているので、下地材Ｆに留め付け金具Ｂ１を確実に固定することができる。
また、留め付け金具Ｂ１の左支持部８と、右支持部９と、中央支持部１０と、下支持部１１が、外壁板Ａの裏面に当接した状態で、ビス孔６にビスＥが打ち込まれているので、外壁板Ａを安定して固定することができる。
更に、留め付け金具Ｂ１の中央水平立設部１２aと下方屈曲部１３aが、留め付け金具Ｂ１より下位に位置する外壁板Ａの上端縁の実部を係止した状態で、ビス孔６にビスＥが打ち込まれているので、留め付け金具Ｂ１より下位に位置する外壁板Ａを確実に固定することができ、支承部１６と上板係止部１７が、留め付け金具Ｂ１よりも上位に位置する外壁板Ａの下端縁の実部を係止した状態で、ビス孔６にビスＥを打ち込まれているので、留め付け金具Ｂ１より上位に位置する外壁板Ａを確実に固定することができる。
更に、左支持部８および右支持部９の内側付近に切り込み２を有する留め付け金具Ｂ１により外壁板Ａを固定しているので、施工した後に、留め付けた外壁板Ａに大きな風圧が作用しても、留め付け金具Ｂ１の切り込み２が一時的に変化して風圧を吸収するので、中央水平立設部１２a、下方屈曲部１３a、支承部１６と上板係止部１７に係止された外壁板Ａの実部に荷重がかかるのを緩和することができ、それにより、安定性の高い留め付け状態を長期にわたり保持することができる。
更に、中央水平立設部１２aの左右端部と上方屈曲部１４の上面、及び前板部１５の前面にベントナイトからなる止水材Ｄ１が配されている留め付け金具Ｂ１により、留め付け金具Ｂ１より上位に位置する外壁板Ａの下端縁の実部を、止水材Ｄ１に当接した状態で係止しているので、外壁板Ａの下端縁の実部と留め付け金具Ｂ１との間に若干の隙間が存在したとしても、最初に侵入した雨水により、止水材Ｄ１のベントナイトが膨張し、外壁板Ａの下端縁の実部と留め付け金具Ｂ１との隙間を塞ぎ、外壁板Ａの下端縁の実部と留め付け金具Ｂ１とは確実に当接することとなり、縦目地を伝って落下してくる雨水等を中央水平立設部１２aによって受けるとともに確実に堰き止め、そして下方屈曲部１３aから外壁の前方へ排出することができる。また、外壁板Ａと留め付け金具Ｂ１が外力を受け、外壁板Ａの下端縁の実部と留め付け金具Ｂ１との間に若干の隙間が形成されたとしても、最初に侵入した雨水によりベントナイトが膨張し、形成された該隙間を塞ぐので、縦目地を伝って落下してくる雨水等の堰き止め、及び排出を長期にわたり行うことができる。
なお、図２では図示していないが、留め付け金具Ｂ１の右上位には、別の外壁板Ａが係止される。すなわち、別の外壁板Ａは、裏面が留め付け金具Ｂ１の右支持部９と、中央支持部１０に当接し、かつ、下端縁の実部が、支承部１６と上板係止部１７に係止された状態で、留め付け金具Ｂ１により固定される。
【００１７】
図３は、図２に示す外壁施工構造を多段に行った外壁を示した図である。
図３では、図１に示す留め付け金具Ｂ１と図１８に示す留め付けストッパー金具Ｃにより、建物の躯体側に、複数の複数の外壁板Ａを馬乗り目地状に留め付け施工し、外壁を構成している。
図３では、３枚の外壁板Ａの実部が重なり逆Ｔ字状態の目地を形成する箇所には図２に示す施工構造を行っており、３枚の外壁板Ａの実部が重なりＴ字状態の目地を形成する箇所には留め付けストッパー金具Ｃにより外壁板Ａが留め付けられているので、外壁板Ａを長期にわたり安定して固定することができる。
また、３枚の外壁板Ａの実部が重なり逆Ｔ字状態の目地を形成する箇所には留め付け金具Ｂ１が施工されているので、外壁板Ａの下端縁の実部と留め付け金具Ｂ１との間に若干の隙間が存在したとしても、最初に侵入した雨水により、止水材Ｄ１のベントナイトが膨張し、外壁板Ａの下端縁の実部と留め付け金具Ｂ１との隙間を塞ぎ、外壁板Ａの下端縁の実部と留め付け金具Ｂ１とは確実に当接することとなり、縦目地を伝って落下してくる雨水等を中央水平立設部１２aによって受けるとともに確実に堰き止め、そして下方屈曲部１３aから外壁の前方へ排出することができる。更に、縦目地を伝って落下してくる雨水等の堰き止め、及び排出を長期にわたり行うことができる。
【実施例２】
【００１８】
図４は本考案にかかる留め付け金具の別の実施例を示した図である。
図４に示す留め付け金具Ｂ２は、止水材がベントナイトとＥＰＤＭからなる、弾性を有するＤ２であること以外は図１に示した留め付け金具Ｂ１と同じである。すなわち、留め付け金具Ｂ２も、１枚のガルバリウム鋼板から成型されており、鍔部１、切り込み２、基板部３、膨出部４、釘孔５、ビス孔６、リブ７、左支持部８、右支持部９、中央支持部１０、下支持部１１、中央水平立設部１２a、下方屈曲部１３a、上方屈曲部１４、前板部１５、支承部１６、上板係止部１７を有する。なお、止水材Ｄ２は、中央水平立設部１２aの左右端部と上方屈曲部１４の上面、及び前板部１５の前面に配している。
よって、留め付け金具Ｂ２も図１に示した留め付け金具Ｂ１と同様に、建物の躯体側へ確実に固定できる、外壁板の固定を安定させることができる、留め付け金具Ｂ２の下位に配された外壁板の上端縁の実部を係止することができる、留め付け金具Ｂ２の上位に配された外壁板の下端縁の実部を係止することができる、外部から力を受けても変形しにくく、外壁板を長期にわたり確実に固定することができるとともに、製造が容易であり、生産効率が良く、製造コストを抑えることができるなどの効果を奏する。
また、止水材Ｄ２は弾性を有し、かつ、中央水平立設部１２aの左右端部と上方屈曲部１４の上面、及び前板部１５の前面に配されているので、留め付け金具Ｂ２より上位に施工される外壁板の下端縁の実部と留め付け金具Ｂ２とをより確実に当接させることができる。また、止水材Ｄ２もベントナイトを含むので、施工した際に、留め付け金具Ｂ２より上位に施工される外壁板の下端縁の実部と留め付け金具Ｂ２との間に若干の隙間が存在したとしても、最初に侵入した雨水により、留め付け金具Ｂ２の中央水平立設部１２aの左右端部と上方屈曲部１４の上面、及び前板部１５の前面に配設されたベントナイトが膨張し、該外壁板の下端縁の実部と留め付け金具Ｂ２との隙間を塞ぐので、外壁板の下端縁の実部と留め付け金具Ｂ２とは確実に当接することとなり、縦目地を伝って落下してくる雨水等を中央水平立設部１２aによって受けるとともに確実に堰き止め、そして下方屈曲部１３aから外壁の前方へ排出することができる。更に、ＥＰＤＭが時間の経過により劣化して、該外壁板の下端縁の実部と留め付け金具Ｂ２との間に若干の隙間が形成されたとしても、止水材Ｄ２はベントナイトも含有するので、侵入した雨水によりベントナイトが膨張し、形成された該隙間を塞ぐので、縦目地を伝って落下してくる雨水等の堰き止め、及び排出を長期にわたり行うことができる。
【００１９】
図５は、図４に示す留め付け金具を建物の躯体に施工した、本考案にかかる外壁施工構造の別の実施例を示した図である。
図４に示す留め付け金具Ｂ２は、止水材がベントナイトとＥＰＤＭからなるＤ２であること以外は図１に示した留め付け金具Ｂ１と同じであるので、図５に示す外壁施工構造も、止水材がベントナイトとＥＰＤＭからなるＤ２であること以外は図２に示した外壁施工構造と同じである。すなわち、図５に示す外壁施工構造も、基板部３と鍔部１が下地材Ｆに当接した状態で、ビス孔６にビスＥが打ち込まれているので、下地材Ｆに留め付け金具Ｂ２を確実に固定することができる。また、留め付け金具Ｂ２の左支持部８と、右支持部９と、中央支持部１０と、下支持部１１が、外壁板Ａの裏面に当接した状態で、ビス孔６にビスＥが打ち込まれているので、外壁板Ａを安定して固定することができる。更に、留め付け金具Ｂ２の中央水平立設部１２aと下方屈曲部１３aが、留め付け金具Ｂ２より下位に位置する外壁板Ａの上端縁の実部を係止した状態で、ビス孔６にビスＥが打ち込まれているので、留め付け金具Ｂ２より下位に位置する外壁板Ａを確実に固定することができ、支承部１６と上板係止部１７が、留め付け金具Ｂ２よりも上位に位置する外壁板Ａの下端縁の実部を係止した状態で、ビス孔６にビスＥを打ち込まれているので、留め付け金具Ｂ２より上位に位置する外壁板Ａを確実に固定することができる。更に、左支持部８および右支持部９の内側付近に切り込み２を有する留め付け金具Ｂ２により外壁板Ａを固定しているので、安定性の高い留め付け状態を長期にわたり保持することができる。
また、留め付け金具Ｂ２の中央水平立設部１２aの左右端部、上方屈曲部１４の上面、及び前板部１５に配されている止水材Ｄ２は、ベントナイトとＥＰＤＭからなり、留め付け金具Ｂ２より上位に位置する外壁板Ａの下端縁の実部と当接した状態で固定されているので、外壁板Ａの下端縁の実部と留め付け金具Ｂ２との間に若干の隙間が存在したとしても、最初に侵入した雨水により、止水材Ｄ２のベントナイトが膨張し、外壁板Ａの下端縁の実部と留め付け金具Ｂ２との隙間を塞ぎ、外壁板Ａの下端縁の実部と留め付け金具Ｂ２とは確実に当接することとなり、縦目地を伝って落下してくる雨水等を中央水平立設部１２aによって受けるとともに確実に堰き止め、そして下方屈曲部１３aから外壁の前方へ排出することができる。更に、ＥＰＤＭが時間の経過により劣化して、外壁板Ａの下端縁の実部と留め付け金具Ｂ２との間に若干の隙間が形成されたとしても、止水材Ｄ２はベントナイトも含有するので、最初に侵入した雨水によりベントナイトが膨張し、形成された該隙間を塞ぐので、縦目地を伝って落下してくる雨水等の堰き止め、及び排出を長期にわたり行うことができる。
なお、図５では図示していないが、留め付け金具Ｂ２の右上位には、別の外壁板Ａが係止される。すなわち、別の外壁板Ａは、裏面が留め付け金具Ｂ２の右支持部９と、中央支持部１０に当接し、かつ、下端縁の実部が、支承部１６と上板係止部１７に係止された状態で、留め付け金具Ｂ２により固定される。
【００２０】
図６は、図５に示す外壁施工構造を多段に行った外壁を示した図である。
図６では、図４に示す留め付け金具Ｂ２と図１８に示す留め付けストッパー金具Ｃにより、建物の躯体側に、複数の複数の外壁板Ａを馬乗り目地状に留め付け施工し、外壁を構成しているが、図６に示す外壁は、図３に示した外壁において、留め付け金具Ｂ１を留め付け金具Ｂ２に変更した以外は図３に示した外壁と同じである。
よって、外壁板Ａを長期にわたり安定して固定することができるとともに、３枚の外壁板Ａの実部が重なり逆Ｔ字状態の目地を形成する箇所には、留め付け金具Ｂ２が施工されているので、外壁板Ａの下端縁の実部と留め付け金具Ｂ２との間に若干の隙間が存在したとしても、最初に侵入した雨水により、止水材Ｄ２のベントナイトが膨張し、外壁板Ａの下端縁の実部と留め付け金具Ｂ２との隙間を塞ぐので、縦目地を伝って落下してくる雨水等を中央水平立設部１２aによって受けるとともに確実に堰き止め、そして下方屈曲部１３aから外壁の前方へ排出することができる。また、ＥＰＤＭが時間の経過により劣化して、外壁板Ａの下端縁の実部と留め付け金具Ｂ２との間に若干の隙間が形成されたとしても、止水材Ｄ２はベントナイトも含有するので、最初に侵入した雨水によりベントナイトが膨張し、形成された該隙間を塞ぐので、縦目地を伝って落下してくる雨水等の堰き止め、及び排出を長期にわたり行うことができる。
【実施例３】
【００２１】
図７は本考案にかかる留め付け金具の更に別の実施例を示した図である。
図７に示す留め付け金具Ｂ３は、下方屈曲部が黒色のテープが貼られている１３bであること以外は図１に示した留め付け金具Ｂ１と同じである。すなわち、留め付け金具Ｂ３も、１枚のガルバリウム鋼板から成型されており、鍔部１、切り込み２、基板部３、膨出部４、釘孔５、ビス孔６、リブ７、左支持部８、右支持部９、中央支持部１０、下支持部１１、中央水平立設部１２a、上方屈曲部１４、前板部１５、支承部１６、上板係止部１７を有し、止水材Ｄ１は、中央水平立設部１２aの左右端部と上方屈曲部１４の上面、及び前板部１５の前面に配されている。なお、下方屈曲部１３bは黒色のテープが貼られていること以外は下方屈曲部１３aと同じである。
よって、留め付け金具Ｂ３も図１に示した留め付け金具Ｂ１と同様に、建物の躯体側へ確実に固定できる、外壁板の固定を安定させることができる、留め付け金具Ｂ３より下位に配された外壁板の上端縁の実部を係止することができる、留め付け金具Ｂ３より上位に配された外壁板の下端縁の実部を係止することができる、外部から力を受けても変形しにくく、外壁板を長期にわたり確実に固定することができるとともに、製造が容易であり、生産効率が良く、製造コストを抑えることができる、縦目地を伝って落下してくる雨水等を中央水平立設部１２aによって受けるとともに確実に堰き止め、そして下方屈曲部１３bから外壁の前方へ排出することができるなどの効果を奏する。また、該雨水等の堰き止め、及び排出は長期にわたり行うことができる。
更に、留め付け金具Ｂ３の下方屈曲部１３bは、黒色のテープが貼られているので、外壁板自体の収縮や外壁板を取り付ける構造体全体の歪みにより、外壁板同士の繋ぎ目に隙間ができたとしても、留め付け金具Ｂ３の下方屈曲部１３bが黒色なので、目立たない。また、下方屈曲部１３bはテープが貼られているので、該テープにより保護されることとなり、腐食、劣化しにくくなる。
【００２２】
図８は、図７に示す留め付け金具を建物の躯体に施工した、本考案にかかる外壁施工構造の更に別の実施例を示した図である。
図７に示す留め付け金具Ｂ３は、下方屈曲部が黒色のテープが貼られている１３bであること以外は図１に示した留め付け金具Ｂ１と同じであるので、図８に示す外壁施工構造も、下方屈曲部が黒色のテープが貼られている１３bであること以外は図２に示した外壁施工構造と同じである。すなわち、図８に示す外壁施工構造も、基板部３と鍔部１が下地材Ｆに当接した状態で、ビス孔６にビスＥが打ち込まれているので、下地材Ｆに留め付け金具Ｂ３を確実に固定することができる。また、留め付け金具Ｂ３の左支持部８と、右支持部９と、中央支持部１０と、下支持部１１が、外壁板Ａの裏面に当接した状態で、ビス孔６にビスＥが打ち込まれているので、外壁板Ａを安定して固定することができる。更に、留め付け金具Ｂ３の中央水平立設部１２aと下方屈曲部１３bが、留め付け金具Ｂ３より下位に位置する外壁板Ａの上端縁の実部を係止した状態で、ビス孔６にビスＥが打ち込まれているので、留め付け金具Ｂ３より下位に位置する外壁板Ａを確実に固定することができ、支承部１６と上板係止部１７が、留め付け金具Ｂ３よりも上位に位置する外壁板Ａの下端縁の実部を係止した状態で、ビス孔６にビスＥを打ち込まれているので、留め付け金具Ｂ３より上位に位置する外壁板Ａを確実に固定することができる。更に、左支持部８および右支持部９の内側付近に切り込み２を有する留め付け金具Ｂ３により外壁板Ａを固定しているので、安定性の高い留め付け状態を長期にわたり保持することができる。また、留め付け金具Ｂ３の中央水平立設部１２aの左右端部、上方屈曲部１４の上面、及び前板部１５に配されている、ベントナイトからなる止水材Ｄ１が、留め付け金具Ｂ３より上位に位置する外壁板Ａの下端縁の実部と当接した状態で固定されているので、外壁板Ａの下端縁の実部と留め付け金具Ｂ３との間に若干の隙間が存在したとしても、最初に侵入した雨水により、止水材Ｄ１のベントナイトが膨張し、外壁板Ａの下端縁の実部と留め付け金具Ｂ３との隙間を塞ぐので、縦目地を伝って落下してくる雨水等を中央水平立設部１２aによって受けるとともに確実に堰き止め、そして下方屈曲部１３bから外壁の前方へ排出することができ、更に、該雨水等の堰き止め、及び排出は長期にわたり行うことができる。
更に、留め付け金具Ｂ３の下方屈曲部１３bは、黒色のテープが貼られているので、外壁板自体の収縮や外壁板を取り付ける構造体全体の歪みにより、外壁板同士の繋ぎ目に隙間ができたとしても、留め付け金具Ｂ３の下方屈曲部１３bが黒色なので、目立たない。また、下方屈曲部１３bはテープが貼られているので、該テープにより保護されることとなり、腐食、劣化しにくくなる。
なお、図８では図示していないが、留め付け金具Ｂ３の右上位には、別の外壁板Ａが係止される。すなわち、別の外壁板Ａは、裏面が留め付け金具Ｂ３の右支持部９と、中央支持部１０に当接し、かつ、下端縁の実部が、支承部１６と上板係止部１７に係止された状態で、留め付け金具Ｂ３により固定される。
【００２３】
図９は、図８に示す外壁施工構造を多段に行った外壁を示した図である。
図９では、図７に示す留め付け金具Ｂ３と図１８に示す留め付けストッパー金具Ｃにより、建物の躯体側に、複数の複数の外壁板Ａを馬乗り目地状に留め付け施工し、外壁を構成しているが、図９に示す外壁は、図３に示した外壁において、留め付け金具Ｂ１を留め付け金具Ｂ３に変更した以外は図３に示した外壁と同じである。
よって、外壁板Ａを長期にわたり安定して固定することができるとともに、３枚の外壁板Ａの実部が重なり逆Ｔ字状態の目地を形成する箇所には、留め付け金具Ｂ３が施工されているので、外壁板Ａの下端縁の実部と留め付け金具Ｂ３との間に若干の隙間が存在したとしても、最初に侵入した雨水により、止水材Ｄ１のベントナイトが膨張し、外壁板Ａの下端縁の実部と留め付け金具Ｂ３との隙間を塞ぐこととなり、縦目地を伝って落下してくる雨水等を中央水平立設部１２aによって受けるとともに確実に堰き止め、そして下方屈曲部１３bから外壁の前方へ排出することができる。また、該雨水等の堰き止め、及び排出は長期にわたり行うことができる。
更に、留め付け金具Ｂ３の下方屈曲部１３bは、黒色のテープが貼られているので、外壁板Ａ自体の収縮や外壁板Ａを取り付ける構造体全体の歪みにより、３枚の外壁板Ａの実部が重なり逆Ｔ字状態の目地を形成する箇所に隙間ができたとしても、留め付け金具Ｂ３の下方屈曲部１３bが黒色なので、目立たない。また、下方屈曲部１３bはテープが貼られているので、該テープにより保護されることとなり、腐食、劣化しにくくなる。
【実施例４】
【００２４】
図１０は本考案にかかる留め付け金具の更に別の実施例を示した図である。
図１０に示す留め付け金具Ｂ４は、中央水平立設部が黒色のテープが貼られている１２bであり、下方屈曲部が黒色のテープが貼られている１３bであること以外は図１に示した留め付け金具Ｂ１と同じである。すなわち、留め付け金具Ｂ４も、１枚のガルバリウム鋼板から成型されており、鍔部１、切り込み２、基板部３、膨出部４、釘孔５、ビス孔６、リブ７、左支持部８、右支持部９、中央支持部１０、下支持部１１、上方屈曲部１４、前板部１５、支承部１６、上板係止部１７を有し、止水材Ｄ１は、中央水平立設部１２bの左右端部と上方屈曲部１４の上面、及び前板部１５の前面に配されている。なお、中央水平立設部１２bは黒色のテープが貼られていること以外は中央水平立設部１２aと同じであり、下方屈曲部１３bは黒色のテープが貼られていること以外は下方屈曲部１３aと同じである。
よって、留め付け金具Ｂ４も図１に示した留め付け金具Ｂ１と同様に、建物の躯体側へ確実に固定できる、外壁板の固定を安定させることができる、留め付け金具Ｂ４より下位に配された外壁板の上端縁の実部を係止することができる、留め付け金具Ｂ４より上位に配された外壁板の下端縁の実部を係止することができる、外部から力を受けても変形しにくく、外壁板を長期にわたり確実に固定することができるとともに、製造が容易であり、生産効率が良く、製造コストを抑えることができる、縦目地を伝って落下してくる雨水等を中央水平立設部１２bによって受けるとともに確実に堰き止め、そして下方屈曲部１３bから外壁の前方へ排出することができるなどの効果を奏する。また、該雨水等の堰き止め、及び排出は長期にわたり行うことができる。
更に、留め付け金具Ｂ４の中央水平立設部１２bと下方屈曲部１３bには、黒色のテープが貼られているので、外壁板自体の収縮や外壁板を取り付ける構造体全体の歪みにより、外壁板同士の繋ぎ目に隙間ができたとしても、留め付け金具Ｂ４の中央水平立設部１２bと下方屈曲部１３bが黒色なので、目立たない。また、中央水平立設部１２bと下方屈曲部１３bはテープが貼られているので、該テープにより保護されることとなり、腐食、劣化しにくくなる。
【００２５】
図１１は、図１０に示す留め付け金具を建物の躯体に施工した、本考案にかかる外壁施工構造の更に別の実施例を示した図である。
図１０に示す留め付け金具Ｂ４は、中央水平立設部と下方屈曲部が黒色のテープが貼られている１２b、１３bであること以外は図１に示した留め付け金具Ｂ１と同じであるので、図１１に示す外壁施工構造も、中央水平立設部と下方屈曲部が黒色のテープが貼られている１２b、１３bであること以外は図２に示した外壁施工構造と同じである。すなわち、図１１に示す外壁施工構造も、基板部３と鍔部１が下地材Ｆに当接した状態で、ビス孔６にビスＥが打ち込まれているので、下地材Ｆに留め付け金具Ｂ４を確実に固定することができる。また、留め付け金具Ｂ４の左支持部８と、右支持部９と、中央支持部１０と、下支持部１１が、外壁板Ａの裏面に当接した状態で、ビス孔６にビスＥが打ち込まれているので、外壁板Ａを安定して固定することができる。更に、留め付け金具Ｂ４の中央水平立設部１２bと下方屈曲部１３bが、留め付け金具Ｂ４より下位に位置する外壁板Ａの上端縁の実部を係止した状態で、ビス孔６にビスＥが打ち込まれているので、留め付け金具Ｂ４より下位に位置する外壁板Ａを確実に固定することができ、支承部１６と上板係止部１７が、留め付け金具Ｂ４よりも上位に位置する外壁板Ａの下端縁の実部を係止した状態で、ビス孔６にビスＥを打ち込まれているので、留め付け金具Ｂ４より上位に位置する外壁板Ａを確実に固定することができる。更に、左支持部８および右支持部９の内側付近に切り込み２を有する留め付け金具Ｂ４により外壁板Ａを固定しているので、安定性の高い留め付け状態を長期にわたり保持することができる。また、留め付け金具Ｂ４の中央水平立設部１２bの左右端部、上方屈曲部１４の上面、及び前板部１５に配されている、ベントナイトからなる止水材Ｄ１が、留め付け金具Ｂ４より上位に位置する外壁板Ａの下端縁の実部と当接した状態で固定されているので、外壁板Ａの下端縁の実部と留め付け金具Ｂ４との間に若干の隙間が存在したとしても、最初に侵入した雨水により、止水材Ｄ１のベントナイトが膨張し、外壁板Ａの下端縁の実部と留め付け金具Ｂ４との隙間を塞ぐので、縦目地を伝って落下してくる雨水等を中央水平立設部１２bによって受けるとともに確実に堰き止め、そして下方屈曲部１３bから外壁の前方へ排出することができ、更に、該雨水等の堰き止め、及び排出は長期にわたり行うことができる。
更に、留め付け金具Ｂ４の中央水平立設部１２bと下方屈曲部１３bは、黒色のテープが貼られているので、外壁板自体の収縮や外壁板を取り付ける構造体全体の歪みにより、外壁板同士の繋ぎ目に隙間ができたとしても、留め付け金具Ｂ４の中央水平立設部１２bと下方屈曲部１３bが黒色なので、目立たない。また、中央水平立設部１２bと下方屈曲部１３bはテープが貼られているので、該テープにより保護されることとなり、腐食、劣化しにくくなる。
なお、図１１では図示していないが、留め付け金具Ｂ４の右上位には、別の外壁板Ａが係止される。すなわち、別の外壁板Ａは、裏面が留め付け金具Ｂ４の右支持部９と、中央支持部１０に当接し、かつ、下端縁の実部が、支承部１６と上板係止部１７に係止された状態で、留め付け金具Ｂ４により固定される。
【００２６】
図１２は、図１１に示す外壁施工構造を多段に行った外壁を示した図である。
図１２では、図１０に示す留め付け金具Ｂ４と図１８に示す留め付けストッパー金具Ｃにより、建物の躯体側に、複数の複数の外壁板Ａを馬乗り目地状に留め付け施工し、外壁を構成しているが、図１２に示す外壁は、図３に示した外壁において、留め付け金具Ｂ１を留め付け金具Ｂ４に変更した以外は図３に示した外壁と同じである。
よって、外壁板Ａを長期にわたり安定して固定することができるとともに、３枚の外壁板Ａの実部が重なり逆Ｔ字状態の目地を形成する箇所には、留め付け金具Ｂ４が施工されているので、外壁板Ａの下端縁の実部と留め付け金具Ｂ４との間に若干の隙間が存在したとしても、最初に侵入した雨水により、止水材Ｄ１のベントナイトが膨張し、外壁板Ａの下端縁の実部と留め付け金具Ｂ４との隙間を塞ぐこととなり、縦目地を伝って落下してくる雨水等を中央水平立設部１２bによって受けるとともに確実に堰き止め、そして下方屈曲部１３bから外壁の前方へ排出することができる。また、該雨水等の堰き止め、及び排出は長期にわたり行うことができる。
更に、留め付け金具Ｂ４の中央水平立設部１２bと下方屈曲部１３bは、黒色のテープが貼られているので、外壁板Ａ自体の収縮や外壁板Ａを取り付ける構造体全体の歪みにより、３枚の外壁板Ａの実部が重なり逆Ｔ字状態の目地を形成する箇所に隙間ができたとしても、留め付け金具Ｂ４の中央水平立設部１２bと下方屈曲部１３bが黒色なので、目立たない。また、中央水平立設部１２bと下方屈曲部１３bはテープが貼られているので、該テープにより保護されることとなり、腐食、劣化しにくくなる。
【実施例５】
【００２７】
図１３は本考案にかかる留め付け金具の更に別の実施例を示した図である。
図１３に示す留め付け金具Ｂ５は、中央水平立設部が黒色のエポキシ樹脂塗料が塗布された１２cであり、下方屈曲部が黒色のエポキシ樹脂塗料が塗布された１３cであり、止水材がベントナイトとＥＰＤＭからなるＤ２であること以外は図１に示した留め付け金具Ｂ１と同じである。すなわち、留め付け金具Ｂ５も、１枚のガルバリウム鋼板から成型されており、鍔部１、切り込み２、基板部３、膨出部４、釘孔５、ビス孔６、リブ７、右支持部９、左支持部８、中央支持部１０、下支持部１１、上方屈曲部１４、前板部１５、支承部１６、上板係止部１７を有し、止水材Ｄ２は、中央水平立設部１２cの左右端部と上方屈曲部１４の上面、及び前板部１５の前面に配されている。なお、中央水平立設部１２cは黒色のエポキシ樹脂塗料が塗布されていること以外は中央水平立設部１２aと同じであり、下方屈曲部１３cは黒色のエポキシ樹脂塗料が塗布されていること以外は下方屈曲部１３aと同じである。
よって、留め付け金具Ｂ５も図１に示した留め付け金具Ｂ１と同様に、建物の躯体側へ確実に固定できる、外壁板の固定を安定させることができる、留め付け金具Ｂ５より下位に配された外壁板の上端縁の実部を係止することができる、留め付け金具Ｂ５より上位に配された外壁板の下端縁の実部を係止することができる、外部から力を受けても変形しにくく、外壁板を長期にわたり確実に固定することができるとともに、製造が容易であり、生産効率が良く、製造コストを抑えることができる、縦目地を伝って落下してくる雨水等を中央水平立設部１２cによって受けるとともに確実に堰き止め、そして下方屈曲部１３cから外壁の前方へ排出することができるなどの効果を奏する。また、該雨水等の堰き止め、及び排出は長期にわたり行うことができる。
更に、留め付け金具Ｂ５の中央水平立設部１２cと下方屈曲部１３cには、黒色のエポキシ樹脂塗料が塗布されているので、外壁板自体の収縮や外壁板を取り付ける構造体全体の歪みにより、外壁板同士の繋ぎ目に隙間ができたとしても、留め付け金具Ｂ５の中央水平立設部１２cと下方屈曲部１３cが黒色なので、目立たない。また、中央水平立設部１２cと下方屈曲部１３cは黒色のエポキシ樹脂塗料が塗布されているので、該塗装により保護されることとなり、腐食、劣化しにくくなる。
【００２８】
図１４は、図１３に示す留め付け金具を建物の躯体に施工した、本考案にかかる外壁施工構造の更に別の実施例を示した図である。
図１３に示す留め付け金具Ｂ５は、中央水平立設部と下方屈曲部が黒色のエポキシ樹脂塗料が塗布されている１２c、１３cであること以外は図１に示した留め付け金具Ｂ１と同じであるので、図１４に示す外壁施工構造も、中央水平立設部と下方屈曲部が黒色のエポキシ樹脂塗料が塗布されている１２c、１３cであること以外は図２に示した外壁施工構造と同じである。すなわち、図１４に示す外壁施工構造も、基板部３と鍔部１が下地材Ｆに当接した状態で、ビス孔６にビスＥが打ち込まれているので、下地材Ｆに留め付け金具Ｂ５を確実に固定することができる。また、留め付け金具Ｂ５の左支持部８と、右支持部９と、中央支持部１０と、下支持部１１が、外壁板Ａの裏面に当接した状態で、ビス孔６にビスＥが打ち込まれているので、外壁板Ａを安定して固定することができる。更に、留め付け金具Ｂ５の中央水平立設部１２cと下方屈曲部１３cが、留め付け金具Ｂ５より下位に位置する外壁板Ａの上端縁の実部を係止した状態で、ビス孔６にビスＥが打ち込まれているので、留め付け金具Ｂ５より下位に位置する外壁板Ａを確実に固定することができ、支承部１６と上板係止部１７が、留め付け金具Ｂ５よりも上位に位置する外壁板Ａの下端縁の実部を係止した状態で、ビス孔６にビスＥを打ち込まれているので、留め付け金具Ｂ５より上位に位置する外壁板Ａを確実に固定することができる。更に、左支持部８および右支持部９の内側付近に切り込み２を有する留め付け金具Ｂ５により外壁板Ａを固定しているので、安定性の高い留め付け状態を長期にわたり保持することができる。また、留め付け金具Ｂ５の中央水平立設部１２cの左右端部、上方屈曲部１４の上面、及び前板部１５に配されている、ベントナイトとＥＰＤＭからなる止水材Ｄ２が、留め付け金具Ｂ５より上位に位置する外壁板Ａの下端縁の実部と当接した状態で固定されているので、外壁板Ａの下端縁の実部と留め付け金具Ｂ５との間に若干の隙間が存在したとしても、最初に侵入した雨水により、止水材Ｄ２のベントナイトが膨張し、外壁板Ａの下端縁の実部と留め付け金具Ｂ５との隙間を塞ぐので、縦目地を伝って落下してくる雨水等を中央水平立設部１２cによって受けるとともに確実に堰き止め、そして下方屈曲部１３cから外壁の前方へ排出することができる。また、該雨水等の堰き止め、及び排出は長期にわたり行うことができる。
更に、留め付け金具Ｂ５の中央水平立設部１２cと下方屈曲部１３cは、黒色のエポキシ樹脂塗料により塗装されているので、外壁板自体の収縮や外壁板を取り付ける構造体全体の歪みにより、外壁板同士の繋ぎ目に隙間ができたとしても、留め付け金具Ｂ５の中央水平立設部１２cと下方屈曲部１３cが黒色なので、目立たない。また、中央水平立設部１２cと下方屈曲部１３cはエポキシ樹脂塗料により塗装されているので、該塗装により保護されることとなり、腐食、劣化しにくくなる。
なお、図１４では図示していないが、留め付け金具Ｂ５の右上位には、別の外壁板Ａが係止される。すなわち、別の外壁板Ａは、裏面が留め付け金具Ｂ５の右支持部９と、中央支持部１０に当接し、かつ、下端縁の実部が、支承部１６と上板係止部１７に係止された状態で、留め付け金具Ｂ５により固定される。
【００２９】
図１５は、図１４に示す外壁施工構造を多段に行った外壁を示した図である。
図１５では、図１３に示す留め付け金具Ｂ５と図１８に示す留め付けストッパー金具Ｃにより、建物の躯体側に、複数の複数の外壁板Ａを馬乗り目地状に留め付け施工し、外壁を構成しているが、図１５に示す外壁は、図３に示した外壁において、留め付け金具Ｂ１を留め付け金具Ｂ５に変更した以外は図３に示した外壁と同じである。
よって、外壁板Ａを長期にわたり安定して固定することができるとともに、３枚の外壁板Ａの実部が重なり逆Ｔ字状態の目地を形成する箇所には、留め付け金具Ｂ５が施工されているので、外壁板Ａの下端縁の実部と留め付け金具Ｂ５との間に若干の隙間が存在したとしても、最初に侵入した雨水により、止水材Ｄ２のベントナイトが膨張し、外壁板Ａの下端縁の実部と留め付け金具Ｂ５との隙間を塞ぐこととなり、縦目地を伝って落下してくる雨水等を中央水平立設部１２cによって受けるとともに確実に堰き止め、そして下方屈曲部１３cから外壁の前方へ排出することができる。また、該雨水等の堰き止め、及び排出は長期にわたり行うことができる。
更に、留め付け金具Ｂ５の中央水平立設部１２cと下方屈曲部１３cは、黒色のエポキシ樹脂塗料が塗装されているので、外壁板Ａ自体の収縮や外壁板Ａを取り付ける構造体全体の歪みにより、３枚の外壁板Ａの実部が重なり逆Ｔ字状態の目地を形成する箇所に隙間ができたとしても、留め付け金具Ｂ５の中央水平立設部１２cと下方屈曲部１３cが黒色なので、目立たない。また、中央水平立設部１２cと下方屈曲部１３cはエポキシ樹脂塗料により塗装されているので、該塗装により保護されることとなり、腐食、劣化しにくくなる。
【００３０】
以上、本考案の例を説明したが、本考案は上記の例に限定されるものではなく、実用新案登録請求の範囲に記載された考案の範囲にて様々な変更が可能である。例えば、止水材Ｄ２と中央水平立設部１２b、下方屈曲部１３bを組み合わせても良いし、留め付け金具Ｂ１〜Ｂ５を２種類以上用いて外壁を構成しても良い。また、留め付け金具Ｂ１〜Ｂ５は、２枚の外壁板の上端部の実部と下端部の実部とを嵌合させるような、３枚の外壁板の実部が重なり逆Ｔ字状態の目地を形成する箇所以外にも使用しても良いし、ビスの代わりに釘孔５に釘を打ち込むことにより、留め付け金具Ｂ１〜Ｂ５を固定しても良い。更に、止水材Ｄ１又は止水材Ｄ２の代わりに、ベントナイトと弾性材を積層して形成した止水材を用いても良いし、中央水平立設部及び／又は下方屈曲部だけでなく、留め付け金具全体を黒色系に塗装しても良い。
【産業上の利用可能性】
【００３１】
本考案によれば、留め付け金具より上位に施工される外壁板の下端縁の実部と該留め付け金具とがより確実に当接するとともに、施工後も該外壁板の下端縁の実部と該留め付け金具との当接状態が維持され、更に、外壁板同士の繋ぎ目の隙間から該留め付け金具の一部が露出したとしても目立たず、かつ、腐食、劣化しにくい留め付け金具及び外壁施工構造を提供することができる。
【図面の簡単な説明】
【００３２】
【図１】本考案にかかる留め付け金具の一実施例を示した図である。
【図２】図１に示す留め付け金具を建物の躯体に施工した、本考案にかかる外壁施工構造の一実施例を示した施工図である。
【図３】図２に示す外壁施工構造を多段に行った外壁を示した図である。
【図４】本考案にかかる留め付け金具の別の実施例を示した図である。
【図５】図４に示す留め付け金具を建物の躯体に施工した、本考案にかかる外壁施工構造の別の実施例を示した図である。
【図６】図５に示す外壁施工構造を多段に行った外壁を示した図である。
【図７】本考案にかかる留め付け金具の更に別の実施例を示した図である。
【図８】図７に示す留め付け金具を建物の躯体に施工した、本考案にかかる外壁施工構造の更に別の実施例を示した図である。
【図９】図８に示す外壁施工構造を多段に行った外壁を示した図である。
【図１０】本考案にかかる留め付け金具の更に別の実施例を示した図である。
【図１１】図１０に示す留め付け金具を建物の躯体に施工した、本考案にかかる外壁施工構造の更に別の実施例を示した図である。
【図１２】図１１に示す外壁施工構造を多段に行った外壁を示した図である。
【図１３】本考案にかかる留め付け金具の更に別の実施例を示した図である。
【図１４】図１３に示す留め付け金具を建物の躯体に施工した、本考案にかかる外壁施工構造の更に別の実施例を示した図である。
【図１５】図１４に示す外壁施工構造を多段に行った外壁を示した図である。
【図１６】上端縁と下端縁に実部を有する外壁板を示した図である。
【図１７】従来の留め付け金具を示した図である。
【図１８】従来の留め付けストッパー金具を示した図である。
【符号の説明】
【００３３】
１      鍔部
２      切り込み
３      基板部
４      膨出部
５      釘孔
６      ビス孔
７      リブ
８      左支持部
９      右支持部
１０    中央支持部
１１    下支持部
１２a〜１２c    中央水平立設部
１３a〜１３c    下方屈曲部
１４    上方屈曲部
１５    前板部
１６    支承部
１７    上板係止部
Ａ      外壁板
Ｂ１〜Ｂ６    留め付けシール金具
Ｃ      留め付けストッパー金具
Ｄ１，Ｄ２    止水材
Ｅ      ビス
Ｆ      下地材
【図１】
0003148121.tif 000003
【図２】
0003148121.tif 000004
【図３】
0003148121.tif 000005
【図４】
0003148121.tif 000006
【図５】
0003148121.tif 000007
【図６】
0003148121.tif 000008
【図７】
0003148121.tif 000009
【図８】
0003148121.tif 000010
【図９】
0003148121.tif 000011
【図１０】
0003148121.tif 000012
【図１１】
0003148121.tif 000013
【図１２】
0003148121.tif 000014
【図１３】
0003148121.tif 000015
【図１４】
0003148121.tif 000016
【図１５】
0003148121.tif 000017
【図１６】
0003148121.tif 000018
【図１７】
0003148121.tif 000019
【図１８】
0003148121.tif 000020